(57)【要約】【課題】より装着感がよく、かつ使い勝手を向上させた革製のシンブルを提供する。【解決手段】指先の上面を覆うように、指先の上面投影形状と略対応する形状に裁断した革製の第１部片１０と、指の先端面、腹面および両側面を覆うことが可能なように裁断した革製の第２部片２０とを有し、指の挿入開口となる部位を残し、上記第１部片１０の周縁部１０Ａａ，１０Ａｂ，１０Ｂａと上記第２部片２０の周縁部２０Ａａ，２０Ａｂ，２０Ｂａどうしを縫着して袋状とした。【選択図】  図１
0003146829.tif 000002
【実用新案登録請求の範囲】
【請求項１】
指先の上面を覆うように、指先の上面投影形状と略対応する形状に裁断した革製の第１部片と、指の先端面、腹面および両側面を覆うことが可能なように裁断した革製の第２部片とを有し、
指の挿入開口となる部位を残し、上記第１部片の周縁部と上記第２部片の周縁部どうしを縫着して袋状としたことを特徴とする、シンブル。
【請求項２】
上記第１部片は、一定幅を有して所定長さ長手方向に延びる基部と、上記基部の両側縁と連続する円弧状ないし楕円弧状の縁をもつ先端部とを有する一方、上記第２部片は、上記第１部片の上記基部の幅より大の幅を有して所定長さ長手方向に延びる基部と、この基部の両側縁と連続する円弧状ないし楕円弧状の縁をもつ先端部とを有している、請求項１に記載のシンブル。
【請求項３】
上記第２部片の上記基部の幅は、上記第１部片の上記基部の幅の約２倍である、請求項２に記載のシンブル。
【請求項４】
上記第１部片は、上記第２部片よりも薄状もしくは柔軟である、請求項２または３に記載のシンブル。
【請求項５】
上記第１部片および上記第２部片は、表皮側が外部に露出している、請求項４に記載のシンブル。
【請求項６】
上記第２部片の内面には、補強片が添着もしくは貼着されている、請求項５に記載のシンブル。
【請求項７】
上記第２部片は、あらかじめ指の先端面、腹面ないし両側面を連続して覆うように成形されている、請求項１ないし６のいずれかに記載のシンブル。
【考案の詳細な説明】
【技術分野】
【０００１】
本考案は、シンブルに関し、とくに、革製のシンブルに関する。
【背景技術】
【０００２】
シンブルは、裁縫やパッチワークをするときに指に嵌め、針の頭を押すために使用する用具であり、金属製や革製のものがある。
【０００３】
たとえば、特許文献１には、革製のシンブルが開示されており、指先の平面形状に似た部片を横方向に２つ繋げた形状に皮革を裁断し、これを上記部片が重なるように中央で二つ折りにし、指の挿入口となる部位を除く周縁部を縫いつけて袋状とした形態をもっている。特許文献１に示されたものではとくに、一方の部片の内面に、補強用の中敷部片を添着してある。
【０００４】
また、本願の図６、７に示すように、指の先端の平面形状に似た同一形状に裁断した２枚の革製部片ａ，ａを重ね、指の挿入口となる部位を除く周縁部を縫いつけて袋状としたシンブルＳもある。このシンブルＳにおいては、上記の２枚の部片ａ，ａは、外皮側が互いに接するように重ねて周縁部を縫いつけた後、裏返しにされる。これによって、縫い合わせ部ｃが不格好に外部に現れることを防止することができる。
【０００５】
革製シンブルは、装着時に指に馴染みやすいという利点があるが、上記従来の形態の革製シンブルでは、なお、指先の形状に完全にフィットすることがなく、違和感が残るという問題がある。すなわち、上記従来の革製シンブルは、２枚の同一形状の革製部片が厚み方向に重なり、厚み方向に対称形となっている一方で、これが装着される指の形状は、上面側に固い爪が位置しているとともに、表裏方向に非対称となっているため、装着時に指先に完全にフィットしない。また、縫い合わせ部が指の側面を圧迫することも、違和感を増大させる。
【０００６】
また、この種のシンブルは、針の頭部を中指に装着したシンブルを介して中指の側面で押すようにして使用する場合があるが、この場合、針の頭部がシンブルの縫い合わせ部から内部に没入してしまうことがある。針の頭部を強く押すように指に力をかけているときにこのようなことが起こると、指先を怪我することもある。
【０００７】
このように、従来の革製シンブルは、装着感や使い勝手において、なお、改善の余地があった。
【０００８】
【特許文献１】実用新案登録第３０８６２３２号公報
【考案の開示】
【考案が解決しようとする課題】
【０００９】
本考案は、上記した事情のもとで考え出されたものであって、より装着感がよく、かつ使い勝手を向上させた革製のシンブルを提供することをその課題としている。
【課題を解決するための手段】
【００１０】
上記の課題を解決するため、本考案では、次の技術的手段を採用している。
【００１１】
本考案によって提供される革製シンブルは、指先の上面を覆うように、指先の上面投影形状と略対応する形状に裁断した革製の第１部片と、指の先端面、腹面および両側面を覆うことが可能なように裁断した革製の第２部片とを有し、指の挿入開口となる部位を残し、上記第１部片の周縁部と上記第２部片の周縁部どうしを縫着して袋状としたことを特徴としている。
【００１２】
好ましい実施の形態では、上記第１部片は、一定幅を有して所定長さ長手方向に延びる基部と、上記基部の両側縁と連続する円弧状ないし楕円弧状の縁をもつ先端部とを有する一方、上記第２部片は、上記第１部片の上記基部の幅より大の幅を有して所定長さ長手方向に延びる基部と、この基部の両側縁と連続する円弧状ないし楕円弧状の縁をもつ先端部とを有している。この場合、より好ましくは、上記第２部片の上記基部の幅は、上記第１部片の上記基部の幅の約２倍とされる。
【００１３】
このような構成の革製シンブルによれば、第２部片が爪が位置する指先の上面を除く指の先端面、腹面ないし両側面を一連に覆うことになるので、指に装着したとき、より指にフィットして装着感が良くなる。また、第１部片と第２部片との縫着部が、指の側面の上方、すなわち、指の上面に偏って位置するため、指の側面で針の頭部を押すように使用しても、針の頭部が縫着部から内部に没入して指を傷つけるといった事態は生じない。
【００１４】
好ましい実施の形態ではまた、上記第１部片は、上記第２部片よりも薄状もしくは柔軟である。シンブルは、指の爪先あるいは指の上面で針の頭部を押すといったことがないので、この第１部片をより薄状ないし柔軟な部材で形成しても差し支えなくなるのであり、このように第１部片の柔軟性を高めうることにより、この革製シンブルの装着感がさらに向上する。
【００１５】
好ましい実施の形態では、上記第１部片および上記第２部片は、表皮側が外部に露出している。
【００１６】
好ましい実施の形態ではさらに、上記第２部片の内面には、補強片が添着もしくは貼着されている。このように構成することにより、針の頭部を押す可能性のある第２部片の強度が高まり、使用を繰り返すことによって針が第２部片を突き破るといった事態を防止することができる。
【００１７】
好ましい実施の形態ではまた、上記第２部片は、あらかじめ指の先端面、腹面ないし両側面を連続して覆うように成形されている。このように構成することにより、針の頭部を押す可能性のある第２部片の強度が実質的に高まる。
【００１８】
本考案のその他の特徴および利点は、図面を参照して以下に行う詳細な説明から、より明らかとなろう。
【考案を実施するための最良の形態】
【００１９】
図１ないし図５は、本考案の革製シンブルＡの一実施形態を示している。これらの図に示すように、このシンブルＡは、人工皮革あるいは天然皮革を裁断してえられる第１部片１０と第２部片２０とを有し、これらを袋状に縫着してなる。
【００２０】
第１部片１０は、図４（ａ）に示すように、指先の上面投影形状に似た形状をもっており、一定幅をもって長手方向に延びる基部１０Ａと、この基部１０Ａの両側縁１０Ａａ，１０Ａｂと連続する円弧状ないし楕円弧状の縁１０Ｂａをもった先端部１０Ｂとを有している。基部１０Ａの幅は、たとえば、装着するべき指先の上面投影形状に対して縫い代を加算した幅としてある。
【００２１】
第２部片２０は、図４（ｂ）に示すように、上記第１部片１０の基部１０Ａの幅より大、好ましくは２倍程度の幅を有して長手方向に延びる基部２０Ａと、この基部２０Ａの両側縁２０Ａａ，２０Ａｂと連続する円弧状ないし楕円弧状の縁２０Ｂａをもった先端部２０Ｂとを有している。
【００２２】
上記第１部片１０と上記第２部２０片とは、同一の皮革材料を裁断して得てもよいが、好ましくは、第１部片１０は第２部片２０よりも薄状のものを採用し、第２部片２０よりも柔軟性をもつものが用いられる。なお、図２、３に表れているように、本実施形態では、第２部片２０の内面に、この第２部片２０よりもやや幅狭の革製補強片３０が接着等により重ねられている。
【００２３】
上記第１部片１０と上記第２部片２０とは、それらの表皮側を外側に露出させつつ、指の挿入口となる部位を残し、両基部１０Ａ，２０Ａの両側縁１０Ａａ，１０Ａｂ，２０Ａａ，２０Ａｂどうし、ないし、両先端部１０Ｂ，２０Ｂの縁１０Ｂａ，２０Ｂａどうしを縫着して袋状とされる。このとき、上記補強片３０は、第２部片２０よりも幅狭であるので、第２部片２０のみを第１部片１０に対して縫着することができる。
【００２４】
その結果、図３にもみられるように、とくに先端部が指先の形状と対応した内部空間が形成され、このシンブルＡを第１部片１０を上にするようにして所定の指先Ｆに装着すると、指先にぴったりフィットした状態で装着される。すなわち、第２部片２０が、爪が位置する指Ｆの上面を除く先端面、腹面、両側面を一連に覆うので、違和感のない装着状態が得られるのである。このとき、第１部片１０をより柔軟性をもった皮革で形成しておくと、若干の伸び縮みを期待することができ、より指先へのフィット感が高まる。
【００２５】
図２から明らかなように、このシンブルＡは、指Ｆに装着した状態において、第１部片１０と第２部片２０との間の縫着部４０が、指Ｆの側面の上方に偏って位置する。したがって、図５に示すようにこのシンブルＡは、中指に装着し、針Ｎの頭部を中指の側面で強く押すように使用することがあるが、この場合においても、縫着部４０に針Ｎの頭部が没入して指を傷つけるといった心配はなく、安全性も高められるのである。
【００２６】
もちろん、この考案の範囲は上記した実施形態に限定されることはない。実施形態では、第１部片１０と第２部片２０との縫着を、各部片の縁が外部に露出するようにして行っているが、第１部片１０と第２部片２０とを、表皮側が互いに接するようにして縫着し、これを裏返して表皮側を外部に露出させるようにしてもよい。このようにすれば、縫着部４０が外部に突出することがなくなり、シンブルＡの外観体裁が向上する。
【００２７】
また、補強片３０を設けるかどうかは、選択事項であり、設けなくともよい。また、補強片３０を設ける場合、第２部片２０に対して接着しておくほか、補強片３０の一部を第１部片１０と第２部片２０との縫着部４０に挟み込んで固定してもよい。
【００２８】
さらに、このシンブルＡは、使用者の指の太さに応じて、たとえば、Ｌサイズ、Ｍサイズ、Ｓサイズといった複数のサイズを準備することができる。
【図面の簡単な説明】
【００２９】
【図１】本考案に係るシンブルの一実施形態の全体斜視図である。
【図２】図１のII-II線端面図である。
【図３】図１のIII-III線端面図である。
【図４】（ａ）は図１に示されるシンブルの第１部片の平面図、（ｂ）は図１に示されるシンブルの第２部片の平面図である。
【図５】図１に示されるシンブルの使用状態説明図である。
【図６】従来例を示す斜視図である。
【図７】図６のVII-VII線端面図である。
【符号の説明】
【００３０】
Ａ          シンブル
１０        第１部片
１０Ａ      基部（第１部片）
１０Ａａ，１０Ａｂ  基部の両側縁（第１部片）
１０Ｂ      先端部（第１部片）
１０Ｂａ    先端部の縁（第１部片）
２０        第２部片
２０Ａ      基部（第２部片）
２０Ａａ，２０Ａｂ  基部の両側縁（第２部片）
２０Ｂ      先端部（第２部片）
２０Ｂａ    先端部の縁（第２部片）
３０        補強片
４０        縫着部
【図１】
0003146829.tif 000003
【図２】
0003146829.tif 000004
【図３】
0003146829.tif 000005
【図４】
0003146829.tif 000006
【図５】
0003146829.tif 000007
【図６】
0003146829.tif 000008
【図７】
0003146829.tif 000009